(57)【要約】【課題】面倒な操作なしに、ダンスを踊り終えた者が直前に踊ったダンスの映像を確認できるダンスの練習方法、及びそれを可能とするダンス練習場を提供する。【解決手段】映像を撮影する撮影手段と、前記撮影手段により撮影された映像を所定の時間差をもって表示する表示手段とが設置されているダンス練習場にて、前記撮影手段によりダンスを踊っている映像を斜め上方から撮影するとともに、ダンスを踊り終えた者が前記ダンスを踊っている映像を確認できるように、所定の時間差をもって前記表示手段に前記ダンスを踊っている映像を表示させる。【選択図】なし【特許請求の範囲】
【請求項１】
映像を撮影する撮影手段と、前記撮影手段により撮影された映像を所定の時間差をもって表示する表示手段とを用い、
前記撮影手段によりダンスを踊っている映像を斜め上方から撮影するとともに、ダンスを踊り終えた者が前記ダンスを踊っている映像を確認できるように、所定の時間差をもって前記表示手段に前記ダンスを踊っている映像を表示させるダンス練習方法。
【請求項２】
前記撮影手段によりダンスを踊っている領域全体の映像を斜め上方から撮影する請求項１に記載のダンス練習方法。
【請求項３】
ダンスを踊っている映像を斜め上方から撮影する撮影手段と、
ダンスを踊り終えた者が前記ダンスを踊っている映像を確認できるように、所定の時間差をもって前記ダンスを踊っている映像を表示する表示手段と
が設置されているダンス練習場。
【請求項４】
前記撮影手段が、ダンスを踊っている領域全体の映像を撮影可能に設置されている請求項３に記載のダンス練習場。
【発明の詳細な説明】
【技術分野】
【０００１】
本発明は、ダンス練習方法及びそれを可能とするダンス練習場に関する。
【背景技術】
【０００２】
ダンス練習場には、大きな鏡が設置されているのが一般的である。鏡に向かった状態でダンスを練習すれば、自分では分かりにくい手足の状態や体のバランスなどをリアルタイムで確認することができるので、ダンスの練習場に鏡は欠かせない。ただし、ダンスを練習している間、常に鏡に向かった状態でいるわけではなく、体を反転ないし回転させた状態や、パートナーと向かい合っている状態になることもあるが、これらの状態は鏡で確認することができない。
【０００３】
そこで、ダンスを踊っている映像を録画しておき、ダンスを踊り終えた後に再生操作することで、ダンスを踊っている映像を確認するダンスの練習方法が考えられる。この方法であれば、ダンスを踊っている間はダンスに集中することができ、後で映像を確認しながら改善点などを検討することもできる。しかし、ビデオテープに映像を録画した場合には、所定位置までビデオテープを巻き戻す必要があり、その操作は面倒であるばかりか、特に年配者にとって難しい。さらに、再生するまでに相当の時間を要するので、ダンスの練習効率が低い。
【０００４】
特許文献１には、１本の磁気テープのテープパスに２系統の記録再生部を設けた磁気記録再生装置が記載されている。この装置を用いて、ゴルフや野球等のスイングをしている映像を撮影すれば、いちいち巻き戻し操作をしなくても直ちに再生することができる。
【先行技術文献】
【特許文献】
【０００５】
【特許文献１】特開平８−３６７０４号公報
【発明の概要】
【発明が解決しようとする課題】
【０００６】
ゴルフや野球等のスイングであれば水平方向から撮影すればよいと考えられるが、それをダンスの練習にそのまま適用することはできない。ダンスは何人ものダンサーがバラバラに移動しながら踊るものであるので、水平方向から撮影した映像ではダンサーが重なってしまい、後ろのダンサーの動きなどは確認することができない。
【０００７】
そこで、本発明は、面倒な操作なしに、ダンスを踊り終えた者が直前に踊ったダンスの映像を確認できるダンスの練習方法、及びそれを可能とするダンス練習場を提供することを目的とする。
【課題を解決するための手段】
【０００８】
本発明は、映像を撮影する撮影手段と、前記撮影手段により撮影された映像を所定の時間差をもって表示する表示手段とを用い、前記撮影手段によりダンスを踊っている映像を斜め上方から撮影するとともに、ダンスを踊り終えた者が前記ダンスを踊っている映像を確認できるように、所定の時間差をもって前記表示手段に前記ダンスを踊っている映像を表示させるダンス練習方法である。
【０００９】
本発明は、ダンスを踊っている映像を斜め上方から撮影する撮影手段と、ダンスを踊り終えた者が前記ダンスを踊っている映像を確認できるように、所定の時間差をもって前記ダンスを踊っている映像を表示する表示手段とが設置されているダンス練習場である。
【発明の効果】
【００１０】
本発明によれば、面倒な操作なしに、ダンスを踊り終えた者が直前に踊ったダンスの映像を確認できるダンスの練習方法、及びそれを可能とするダンス練習場を提供できる。
【発明を実施するための形態】
【００１１】
本発明に係るダンス練習方法では、映像を撮影する撮影手段と、その撮影手段により撮影された映像を所定の時間差をもって表示する表示手段とを用いる。
【００１２】
撮影手段としては、ダンスを踊っている映像を撮影可能なビデオカメラを用いることができる。撮影手段は、アナログ方式のものでも構わないが、撮影された映像を所定の時間差をもって表示手段に表示させることを考慮すると、デジタル方式のものが好ましい。
【００１３】
本発明では、撮影手段によりダンスを踊っている映像を斜め上方から撮影する。こうすることで、何人ものダンサーがバラバラに移動しながら踊っていても、映像中でダンサーが重なってしまう事態を減らすことができる。
【００１４】
撮影方向に関しては、斜め上方からダンスを踊っている映像を撮影できる範囲で適宜設定できるが、水平面との角度が２０〜６０°となる方向が好ましく、３０〜４５°がより好ましく、３５〜４０°がさらに好ましい。撮影角度が大きいほど映像中でダンサーが重なりにくくなり、撮影角度が小さいほど細かい動きを確認しやすくなることを考慮し、練習の目的に応じて撮影方向を適宜調整すればよい。
【００１５】
さらに、撮影手段では、ダンスを踊っている領域全体の映像を撮影することが好ましい。こうすることで、全てのダンサーの映像を余すところなく撮影することができる。例えば、撮影手段としてキヤノン製ネットワークカメラ（型番：ＶＢ−Ｍ６００Ｄ）のような広角カメラを用い、それをダンス練習場の天井の角に設置することが好ましい。
【００１６】
表示手段としては、撮影された映像を表示可能なディスプレイを用いることができるが、設置場所の確保の観点から液晶ディスプレイが好ましく、例えばシャープ製液晶ディスプレイ（型番：ＬＬ−２２１−Ｂ）や、ソニー製液晶ディスプレイ（型番：ＫＤＬ６０ＥＸ７２０）を用いることができる。表示手段の設置位置は、ダンスを踊り終わった者が見やすい位置がよく、ダンスを踊る領域外の広い場所に表示手段を設置することが好ましい。
【００１７】
本発明において、撮影手段により撮影された映像は、所定の時間差をもって表示手段に表示される。こうすることで、ダンスを踊り終えた者は、何らの操作をすることなく、直前に踊ったダンスの映像を確認することができる。これを実現する方法としては、撮影された映像を一旦保存し、予め定められた時間が経過した後に、その映像を再生するシステムを利用することができる。例えば、前述のキヤノン製ネットワークカメラ（型番：ＶＢ−Ｍ６００Ｄ）に、ディーグラット製音声対応録画サーバー（型番：ＴＶＲ−ＤＴ２ＴＮ）とパソコンとを組み合わせ、所定のソフトを用いることができる。
【００１８】
所定の時間差（録画から再生までの時間）については、ダンスを踊る時間を考慮して適宜設定すればよいが、通常は１〜４０分程度に設定する。競技ダンスにおいてダンスを踊る時間は１．５分と決まっているので、入れ替え時間を考慮して、１．７５〜３分に設定することが好ましく、２〜２．５分に設定することがさらに好ましい。また、一連の複数種目を踊り終えてから確認するような練習を行う場合には、２０〜３５分に設定することが好ましく、２５〜３０分に設定することがより好ましい。
【００１９】
本発明では、音声を録音するマイクを用いることもできる。こうすることでダンスと音楽が合っているかなどを確認することができる。マイクとしては、例えばオーディオテクニカ製コンデンサマイク（型番：ＡＴ８４５ＲＷａ）を用いることができ、これを前述のキヤノン製ネットワークカメラ（型番：ＶＢ−Ｍ６００Ｄ）に接続すればよい。
【００２０】
本発明では、ダンサー全員が所定時間ダンスを踊り、その後ダンサー全員でその映像を確認することができる。ただし、一度に踊るダンサーの数が多くなると、撮影した映像中でダンサーが重なってしまいやすい。また、ダンスを踊っている間にも表示手段には映像が表示されることになるが、その映像は誰も見ないので無駄である。
【００２１】
そこで、ダンサーを２つのグループに分け、一方のグループがダンスを踊るとともに、他方のグループが直前に踊ったダンスの映像を確認するダンスの練習方法が好ましい。こうすれば、一度に踊るダンサーの数を減らすことができ、無駄な映像が表示手段に表示される時間も短くなる。さらに、ダンスを踊るグループと、直前に踊ったダンスの映像を確認するグループと、音楽を使わないで練習をするグループなど、ダンサーを３つ以上のグループに分けてダンスを練習することも好ましい。
【００２２】
ダンスの上達を目指す者にとって、自分がダンスを踊っている姿を、踊り終えた直後に自分で確認したいという根強い願望がある。ダンスを見て評価する能力は、一般に、自分がダンスを踊る能力より先に上達するためである。すなわち、面倒な操作なしに、ダンスを踊り終えた者が直前に踊った自分のダンスの映像を確認できる本発明のダンス練習方法、及びそれを可能とするダンス練習場は、ダンスの上達に極めて有効である。